(57)【特許請求の範囲】
【請求項１】
解放区域と非解放区域とを分離する分離部に設けられた通路に設置され、垂直方向の支点軸を中心として扉本体が回動することで前記通路を開閉するスイング扉であって、
前記支点軸を軸支し、前記扉本体の上下を挟むように設けられた半円形の一対のヒンジ円板と、前記扉本体の内部に設けられ、前記扉本体を上下に貫通するストッパー棒と、前記扉本体の内部に設けられ、前記ストッパー棒を前記ヒンジ円板の外周側に付勢する付勢手段とを備え、
前記ヒンジ円板の外周に、該ヒンジ円板の中心方向に向けて形成され、前記付勢されたストッパー棒がはまり込む回転制止凹部を設け、前記回転制止凹部は、前記扉本体の閉状態に対応するものでは、前記ストッパー軸の半径より大きい深さとされていることを特徴とするスイング扉。
【請求項２】
前記ストッパー棒の一部を、前記扉本体の非解放区域側で覗かせ、該ストッパー棒の前記回転制止凹部からの解除操作が非解放区域側から可能としたことを特徴とする請求項１記載のスイング扉。
【請求項３】
回転制止凹部の深さの向きが解放区域側に傾いていることを特徴とする請求項１または２記載のスイング扉。
【発明の詳細な説明】
【技術分野】
【０００１】
本発明は、コンビニエンスストアなどにおけるレジカウンターの外側であって購買客に解放された解放区域と、このレジカウンターの内側で購買客の立ち入りを回避したい非解放区域を分離する分離部（この例では、レジカウンター）に設けられた通路に設置され、垂直方向の支点軸を中心として扉本体が回動することで前記通路を開閉するスイング扉に関する。
【背景技術】
【０００２】
コンビニエンスストアでは、コンビニエンスストアの従業員は、商品の補充、メンテナンス、店内の清掃等のため、レジカウンターの内外間を出入りする必要があり、そのため、レジカウンターの一部に通路が設けられ、その通路にはスイング扉が設けられるのが通常である。
【０００３】
一方、レジカウンターにはレジスターが設置され、防犯上、このレジスターの金銭収容側となるレジカウンターの内側へは購買客の立ち入りを回避する必要があり、一定の操作をしないと前記スイング扉をカウンターの外から内へは開けられないようにされているものがある。
【０００４】
このような防犯を考慮したスイング扉は、種々提案されたものがあるが、これまで、スイング扉自体で外から内への侵入をしにくくするような簡単な構成を用いたものはなかった。
【０００５】
例えば、特許文献１記載のスイング扉は、解放区域から非解放区域への侵入を防止する防犯を考慮したものであるが、複雑な施錠構造をもつものであり、頻繁に出入りするレジカウンターの通路の開閉に用いるには適さないものであった。
【０００６】
【特許文献１】特開２００７−７７７８１号公報（図３）
【発明の開示】
【発明が解決しようとする課題】
【０００７】
本発明は、上記問題を改善しようとするもので、頻繁に出入りがあるようなレジカウンター等の通路に使用可能な簡易で、扉自体の構成により防犯を達成できるスイング扉を提供することを目的としている。
【課題を解決するための手段】
【０００８】
本発明のスイング扉は、解放区域と非解放区域とを分離する分離部に設けられた通路に設置され、垂直方向の支点軸を中心として扉本体が回動することで前記通路を開閉するスイング扉であって、
前記支点軸を軸支し、前記扉本体の上下を挟むように設けられた半円形の一対のヒンジ円板と、前記扉本体の内部に設けられ、前記扉本体を上下に貫通するストッパー棒と、前記扉本体の内部に設けられ、前記ストッパー棒を前記ヒンジ円板の外周側に付勢する付勢手段とを備え、
前記ヒンジ円板の外周に、該ヒンジ円板の中心方向に向けて形成され、前記付勢されたストッパー棒がはまり込む回転制止凹部を設け、前記回転制止凹部は、前記扉本体の閉状態に対応するものでは、前記ストッパー軸の半径より大きい深さとされていることを特徴とする。
【発明の効果】
【０００９】
本発明のスイング扉によれば、扉に設けられたストッパー棒と、付勢手段と、ヒンジ円板の回転制止凹部との構成だけで、ストッパー棒が付勢手段で付勢されて扉本体の閉止位置で回転制止凹部に嵌まり込み、扉本体を押しても、閉止状態を維持するので頻繁に出入りがあるようなレジカウンター等の通路に使用可能な簡易で、扉自体の構成により防犯を達成できるスイング扉を得ることができる。
【発明を実施するための最良の形態】
【００１０】
以下に、本発明の実施の形態について、図面を用いて説明する。
【実施形態１】
【００１１】
図１は、本発明のスイング扉の一例を示すもので、（ａ）はその上面図、（ｂ）はその内面図、（ｃ）はその側面図、（ｄ）は（ａ）のヒンジ円板部分の詳細図、、（ｅ）は（ａ）の付勢手段設置部分の詳細断面図、図２（ａ）は、図１のスイング扉の使用状態を示す斜視図、（ｂ）は、本発明のスイング扉の他例の要部を示す斜視図、（ｃ）は、本発明のスイング扉の他例の要部を示す詳細断面図である。
【００１２】
このスイング扉１０は、例えば、コンビニエンスストアの購買客に解放された解放区域ＯＳと、このストアの従業員が業務をし、購買客の立ち入りをさせない非解放区域ＣＳを分離する分離部、この例ではレジカウンターＣに設けられた通路Ｐに設置され、垂直方向の支点軸１を中心として扉本体２が回動することで前記通路Ｐを開閉する、スイング式の開閉扉である。
【００１３】
このスイング扉１０は、支点軸１を軸支し、扉本体２の上下を挟むように設けられた半円形の一対のヒンジ円板３と、扉本体２の内部に設けられ、この扉本体２を上下に貫通するストッパー棒４と、同様に、この扉本体２の内部に設けられ、ストッパー棒４をヒンジ円板３の外周側に付勢する付勢手段５とを備えている。
【００１４】
スイング扉１０は、上述の構成を基本として、ヒンジ円板３の外周に、該ヒンジ円板３の中心方向に向けて形成され、ヒンジ円板３の外周に近づくように付勢されたストッパー棒４がはまり込む回転制止凹部３ｂを設け、この回転制止凹部３ｂは、扉本体２の閉状態（図１（ａ）の実線の状態。）に対応するものでは、ストッパー軸４の半径より大きい深さとされていることを特徴とする。
【００１５】
支点軸１の詳細については、図３で説明する。扉本体２は、ストッパー棒４が、支点軸１方向、つまり、ヒンジ円板３の外周方向に近づきあるいは遠ざかるように、ストッパー棒４を貫通させる長孔２ａを上下一対で備えている。
【００１６】
扉本体２の非解放区域ＣＡ側は、支点軸１から、ストッパー棒４が上下に貫通する部分までは、凹所となっていて、ストッパー棒４が露出するものであるが、そのストッパー棒４の上下部分を化粧カバー２ｂで覆い、ストッパー棒４の一部だけを覗かせる解除操作窓７を形成するようにしている。
【００１７】
この解除操作窓７は、ストッパー棒４の一部を、扉本体２の非解放区域ＣＳ側で覗かせ、ストッパー棒４の回転制止凹部３ｂからの解除操作が非解放区域側から可能となるようにするものである。
【００１８】
ヒンジ円板３は、上述の回転制止凹部３ｂに加え、支点軸１を軸支する軸孔（後述する。）と、この軸孔を中心として、回転静止凹部３ｂとは９０度の角度を成す外周の位置に、回転半静止凹部３ｃを２箇所備えている。この回転半静止凹部３ｃの深さは、ストッパー棒４の半径より小さいものである。
【００１９】
付勢手段５は、コイルスプリングであり、その一方端がストッパー棒４に引っ掛けられ、他方端が扉本体２の内部の支点軸１側に設けられた止め孔２ｄに引っ掛けられ、ストッパー棒４が回転静止凹部３ｂに収容された状態（図１（ｄ）の実線の状態）でも、なお、ストッパー棒４を支点軸１側に付勢するようになっている。
【００２０】
上下一対のヒンジ円板３の更に上下には、移動するストッパー棒４を含めて、ヒンジ円板３の全体を覆う、ヒンジ円板３より一回り大きい外周の覆い円板６が設けられている。
【００２１】
このような構成のスイング扉１０によれば、図１（ａ）、（ｄ）から解るように、扉本体２が解放区域ＯＳと非解放区域ＣＳとの間の通路Ｐを閉じている状態では、ストッパー棒４は、回転静止凹部３ｂに支点軸１側に付勢手段５で付勢された状態で収容されている。
【００２２】
したがって、扉本体２を内側へ開こうとする力ＦＩが作用しても、扉本体２が回転静止凹部３ｂに収容されたストッパー棒４に規制されて内側へ回転することがなく、解放区域ＯＳから非解放区域ＣＳへの不審者の侵入を阻止することができる、防犯的機能を発揮する。
【００２３】
一方、扉本体２を外側へ開こうとする力ＦＯが作用した場合も、同様に扉本体２の外側への回転が阻止されるが、その場合は、解除操作窓７により、ストッパー棒４を回転静止凹部３ｂから抜け出すように解除操作ＦＨ（図２（ａ）参照）を行えば、簡単に外側へ開くことができる。
【００２４】
ストアの従業員が解放区域ＯＳから非解放区域ＣＳに入る場合には、扉本体２の上側から、解除操作窓７に手を伸ばし、解除操作ＦＨを行えば、扉本体２を内側へ開くことができる。
【００２５】
また、このスイング扉１０は、上記防犯的機能を発揮するために、格別に必要な部品としては、ストッパー棒４と、付勢手段５と、ヒンジ円板３の回転制止凹部３ｂだけであるので、非常に簡単な構成である。
【００２６】
こうして、このスイング扉１０によれば、頻繁に出入りがあるようなレジカウンター等の通路に使用可能な簡易で、扉自体の構成により、防犯を達成することができる。
【００２７】
また、２つ設けられたの回転半静止凹部３ｃは、例えば、図１（ａ）、（ｄ）で、符号２（Ｏ）で示すように、扉本体２の内側への開状態を保持するものである。したがって、例えば、開店前の準備のために頻繁に通路Ｐを従業員が出入りするような場合には、その開状態を保持することができるので、邪魔にならず、便利が良い。
【００２８】
この回転半静止凹部３ｃは、その深さがストッパー棒４の半径より浅いので、扉本体２を閉方向に押せば、ストッパー棒４は簡単に回転半静止凹部３ｃから抜け出て、扉本体２を閉状態とすることができる。
【００２９】
この例では、外側の開状態を維持する回転半静止凹部３ｃも設けられており、内側の回転半静止凹部３ｃと同様の働きをするが、これらの回転半静止凹部３ｃは、必要に応じて設置すればよいもので、必須のものではない。
【００３０】
また、このスイング扉１０では、覆い円板６が設けられているので、上記のような防犯機能を備えるストッパー棒４が設置されているのが解りにくく、その点も防犯上有効である。
【００３１】
また、この覆い円板６は突起物であるストッパー棒４の上下部分を覆う点で、安全上の効果もあり、また、加えて、美観的にもスイング扉１０の見栄えを良くする働きをしている。
【００３２】
図２（ｂ）に示すスイング扉１０Ａは、図１のスイング扉１０に比べて、扉本体２Ａの解除操作窓７に対応する位置に、解除操作の際の、ストッパー棒４の解除操作をする手の他方側の引っ掛かりとなる引っ掛かり凹所２ｃが設けられている点が異なっている。
【００３３】
この引っ掛かり凹所２ｃによれば、解除操作がよりやりやすくなる。また、引っ掛かり凹所２ｃは、この扉本体２Ａの非解放区域ＣＳ側に設けられており、解放区域ＯＳ側からは見えず、美観的、防犯的にも有利である。
【００３４】
図２（ｃ）に示すスイング扉１０Ｂは、図１のスイング扉１０に比べて、付勢手段５Ａが、コイルスプリングではあるが、その伸び方向の付勢力を、ストッパー軸４を支点軸１側へ付勢するのに用いるものである点が異なっている。
【００３５】
つまり、スイング扉１０の付勢手段が引っ張りスプリングである所、このスイング扉１０Ｂでは、付勢手段５Ａのコイルスプリングが圧縮スプリングとなっている。
【００３６】
この付勢手段５Ａを収容するために、扉本体２Ｂには、円筒収容部分を有した付勢手段収容具２ｄが設けられている。
【００３７】
このような構成のスイング扉１０Ｂによれば、図１のスイング扉１０と同様の効果を発揮することができる。
【実施形態２】
【００３８】
図３は、本発明のスイング扉の他例を示す分解斜視図である。これより、既に説明した部分と同じ部分には同じ符号を付して重複説明を省略する。
【００３９】
このスイング扉１０Ｃは、図１のスイング扉１０に比べ、ヒンジ円板３と覆い円板６とが、固定金具８を介して、カウンターＣの側壁に取付られるようになっている点が異なっている。
【００４０】
このような構成のスイング扉１０Ｃによれば、一般に、上下一対のヒンジ円板３と覆い円板６とを、分離部Ｃの壁面等に取りつける際に、扉本体２が鉛直姿勢を保つように正確な上下の芯合わせが必要となり、現場での取付時間が長くなるが、そのような芯合わせ工程が不要となって、現場での取付時間を短縮することができる。
【００４１】
なお、この分解斜視図を用いて、図１と同一部分である支点軸１と、ストッパー棒４とについて、より詳しく説明する。
【００４２】
支点軸１は、扉本体２の上下に貫通するものではなく、扉本体２の上端と下端にそれぞれ軸体１ａを設置し、その軸体１ａの突出部分に、円滑な回動をサポートする樹脂カラー１ｂを嵌めて、ヒンジ円板３の軸孔３ａに軸支されるようになっている。
【００４３】
このような支点軸１によれば、貫通させる場合に比べ、材料費を節約でき、また、樹脂カラー１ｂによりきしみ音の発生しない滑らかな扉本体２の回転を実現することができる。
【００４４】
ストッパー棒４は、扉本体２の上下一対の長孔２ａを貫通するものであるが、このストッパー棒１の扉本体２に対する軸方向の上下移動を規制するために、上下の長孔２ａの扉本体２の内側となる位置に、平ワッシャー４ｂを挟んで、Ｅリング４ａが、ストッパー棒４の対応する位置に設けられたリング溝４ｃが嵌め込まれるようになっている。
【００４５】
ストッパー棒４には、また、付勢手段５の一端を引っ掛ける引っ掛け溝４ｄも設けられている。これに対応して、扉本体２には、付勢手段５の他端を引っ掛ける止め孔２ｅがもうけられている。これらの間の付勢手段５の設置状態は、図１（ｅ）で説明したものである。
【実施形態３】
【００４６】
図４は、本発明のスイング扉の他例を示す要部詳細図である。このスイング扉１０Ｄは、図１のスイング扉１０に比べ、そのヒンジ円板３Ａに設けられた回転制止凹部３ｄのの深さの向きが解放区域ＯＳ側に傾いている点が異なっている。
【００４７】
このようにすると、扉本体２を内側へ開こうとする力ＦＩに対しては、付勢手段５の付勢力に加えて、ストッパー棒４を支点軸１側へ押そうとする非解除方向力ｆｉが発生するので、扉本体２の内側への回転はより大きな力で阻止される。
【００４８】
一方、扉本体２を外側へ開こうとする力ＦＯに対しては、付勢手段５に付勢力に反する方向の、ストッパー棒４を支点軸１とは反対側へ戻そうとする力、つまり、解除方向力ｆｏが発生し、別段にストッパー棒４の解除操作をすることなく、扉本体２を開けることができる。
【００４９】
つまり、このスイング扉１０Ｄによれば、非解放領域ＣＳに居る従業員が解放領域ＯＳに出ようとする場合にのみ、扉本体２を押すだけで、ストッパー棒４の解除も同時に可能となるので、便利がよい。
【００５０】
なお、本発明のスイング扉は、上記の実施形態に限定されず、特許請求の範囲に記載された範囲、実施形態の範囲で、種々の変形例、組み合わせが可能であり、これらの変形例、組み合わせもその権利範囲に含むものである。
【００５１】
例えば、本発明のスイング扉のストッパー棒、付勢手段、及び、回転制止凹部を備えたヒンジ円板は、扉本体の回動自体を回転付勢手段により閉鎖位置で止めるように構成されたスイング扉にも適用可能である。
【産業上の利用可能性】
【００５２】
本発明のスイング扉は、頻繁に出入りがあるようなレジカウンター等の通路に使用可能な簡易で、扉自体の構成により、防犯を達成できることが要請される産業分野に用いることができる。
【図面の簡単な説明】
【００５３】
【図１】本発明のスイング扉の一例を示すもので、（ａ）はその上面図、（ｂ）はその内面図、（ｃ）はその側面図、（ｄ）は（ａ）のヒンジ円板部分の詳細図、、（ｅ）は（ａ）の付勢手段設置部分の詳細断面図
【図２】（ａ）は、図１のスイング扉の使用状態を示す斜視図、（ｂ）は、本発明のスイング扉の他例の要部を示す斜視図、（ｃ）は、本発明のスイング扉の他例の要部を示す詳細断面図
【図３】本発明のスイング扉の他例を示す分解斜視図
【図４】本発明のスイング扉の他例を示す要部詳細図
【符号の説明】
【００５４】
１          支点軸
２〜２Ｂ    扉本体
３、３Ａ    ヒンジ円板
３ｂ        回転制止凹部
３ｄ        回転制止凹部
４          ストッパー棒
５、５Ａ    付勢手段
６          覆い円板
７          解除操作窓
８          固定金具
１０〜１０Ｄ  スイング扉
Ｃ          分離部
ＣＳ        非解放区域
ＯＳ        解放区域
Ｐ          通路
【図１】
0005086902.tif 000002
【図２】
0005086902.tif 000003
【図３】
0005086902.tif 000004
【図４】
0005086902.tif 000005